(57)【要約】【課題】発熱体が存在する室内において，局所空調をなるべく効率良く行うことを目的としている。【解決手段】電算機２などの発熱体が存在する室１に給気して，室１内において発熱体２から離れた位置に存在する特定の領域５を空調するにあたり，空調された空気を，空調対象領域５を挟んで発熱体２と反対となる位置から，空調対象領域５と発熱体２を結ぶ方向Ｌに側方から給気する。室内において発熱体２に向って流れている室内空気の気流ｂと平行に空調空気ｃを給気することにより，空調空気ｃの拡散をなるべく少なくでき，空調対象領域を効率良く局所空調できる。【選択図】  図１
2004278928.tif 000002
【特許請求の範囲】
【請求項１】
発熱体が存在する室に給気して，該室内において前記発熱体から離れた位置に存在する特定の領域を空調する局所空調方法であって，
空調された空気を，前記領域を挟んで前記発熱体と反対となる位置から，前記領域と前記発熱体を結ぶ方向に側方から給気することを特徴とする，局所空調方法。
【請求項２】
空調された複数の空気流を合成して，前記領域に給気することを特徴とする，請求項１に記載の局所空調方法。
【請求項３】
前記領域を通過した空調空気を，前記領域を挟んで空調空気の吹出し位置と反対側の位置で吸引することを特徴とする，請求項１又は２に記載の局所空調方法。
【請求項４】
発熱体が存在する室に給気して，該室内において前記発熱体から離れた位置に存在する特定の領域を空調する局所空調装置であって，
前記領域とほぼ同じ高さであって，前記領域を挟んで前記発熱体と反対となる位置に，空調された空気を吹出す局所空調用吹出口を設け，
この局所空調用吹出口の吹出し方向を，前記領域と前記発熱体を結ぶ方向に指向させたことを特徴とする，局所空調装置。
【請求項５】
発熱体が存在する室に給気して，該室内において前記発熱体から離れた位置に存在する特定の領域を空調する局所空調装置であって，
空調された空気を吹出す局所空調用吹出口を複数箇所に設け，
各局所空調用吹出口から吹出された空調空気が，前記領域とほぼ同じ高さであって，前記領域を挟んで前記発熱体と反対となる位置で合成されるように，前記複数の局所空調用吹出口の吹出し方向をそれぞれ指向させ，
かつ，各局所空調用吹出口から吹出された空調空気を合成した空調空気の流れが，前記領域と前記発熱体を結ぶ方向に指向するように，前記複数の局所空調用吹出口をそれぞれ配置したことを特徴とする，局所空調装置。
【請求項６】
前記領域と前記発熱体の間に，前記領域を通過した空調空気を吸引する吸気口を設けたことを特徴とする，請求項４又は５に記載の局所空調装置。
【発明の詳細な説明】
【０００１】
【発明の属する技術分野】
本発明は，室内の一部分を局所的に空調する方法と装置に関する。
【０００２】
【従来の技術】
例えば電算機室においては，電算機の発熱により年間を通じて冷房負荷が要求される。かかる電算機室などでは，電算機といった発熱体の近傍で空気が加熱されることにより上昇気流が生じるが，それに伴い，室内の下方では，室内空気が電算機に向って横向に流れるような気流が発生する。
【０００３】
一方，従来より省エネの観点から室内の全部ではなく一部分を局所的に空調するいわゆる局所空調（スポット空調）が行われている。この局所空調は，空調対象となる特定の領域に，所望の温度，清浄度，湿度等に適宜調節した空調空気を給気することにより行われるのが一般である。このように，広い室内において居住者などの周りに局所的な空調空間を形成することにより，余分な空調負荷を排除することで省エネを達成することができる。例えば特公平３−７９６１８号公報の第１６図には，塗装ブース内に空気流を形成することにより空調する例が示されている。また，特開２０００−１８６６３号公報の図１には，クリーンルームにおいて壁やカーテンなどのパーテションで仕切ることによりゾーンを形成し，その内部を局所的に空調する例が示されている。また，発熱体から発生する上昇気流を除去する技術として，特開平６−３００３３９号が知られている。
【０００４】
【特許文献１】特公平３−７９６１８号公報
【特許文献２】特開２０００−１８６６３号公報
【特許文献３】特開平６−３００３３９号
【０００５】
【発明が解決しようとする課題】
ここで，前述の電算機室の如き発熱体が存在する室内において，局所空調を実施した場合，室内には，電算機に向って流れる室内空気の流れと，空調対象領域に向って給気される空調空気の流れが混在することとなる。このため，空調空気の流れが室内空気の流れによって乱され，空調対象領域を所期の目標通りに空調できなくなる虞がある。
【０００６】
また一般に，大空間の室内において一部分を局所的に冷房するような場合，空調対象領域に向けて吹出された低温空気流は，相対速度の差によって室内において周囲の雰囲気を誘引混合して空調対象領域に到達することになる。このため，空調対象領域に到達した時点では，温度が高くなったりして冷房効果が低下するおそれがある。また，このような冷房効果の低下を防ぐために，吐出面積を大きくし，空調対象領域の周りにも余分に低温空気を給気することも考えられる。しかしそうすると，余分に冷房能力を大きくしなければならず，エネルギーが無駄に使われてしまう。
【０００７】
更に，パーテションで空調対象領域を仕切る方策も採られているが，室内が壁などのパーテションで仕切られているのは邪魔であり，作業の自由度が失われる。作業性の面からはそのようなパーテションはなるべく省略したい。
【０００８】
本発明の目的は，発熱体が存在する室内において，局所空調をなるべく効率良く行うことを目的としている。
【０００９】
【課題を解決するための手段】
この目的を達成するために，本発明によれば，発熱体が存在する室に給気して，該室内において前記発熱体から離れた位置に存在する特定の領域を空調する局所空調方法であって，空調された空気を，前記領域を挟んで前記発熱体と反対となる位置から，前記領域と前記発熱体を結ぶ方向に側方から給気することを特徴とする，局所空調方法が提供される。この場合，空調された複数の空気流を合成して，前記領域に給気給気するようにしても良い。また，前記領域を通過した空調空気を，前記領域を挟んで空調空気の吹出し位置と反対側の位置で吸引するように構成しても良い。
【００１０】
また本発明によれば，発熱体が存在する室に給気して，該室内において前記発熱体から離れた位置に存在する特定の領域を空調する局所空調装置であって，前記領域とほぼ同じ高さであって，前記領域を挟んで前記発熱体と反対となる位置に，空調された空気を吹出す局所空調用吹出口を設け，この局所空調用吹出口の吹出し方向を，前記領域と前記発熱体を結ぶ方向に指向させたことを特徴とする，局所空調装置が提供される。
【００１１】
また本発明によれば，発熱体が存在する室に給気して，該室内において前記発熱体から離れた位置に存在する特定の領域を空調する局所空調装置であって，空調された空気を吹出す局所空調用吹出口を複数箇所に設け，各局所空調用吹出口から吹出された空調空気が，前記領域とほぼ同じ高さであって，前記領域を挟んで前記発熱体と反対となる位置で合成されるように，前記複数の局所空調用吹出口の吹出し方向をそれぞれ指向させ，かつ，各局所空調用吹出口から吹出された空調空気を合成した空調空気の流れが，前記領域と前記発熱体を結ぶ方向に指向するように，前記複数の局所空調用吹出口をそれぞれ配置したことを特徴とする，局所空調装置が提供される。
【００１２】
これらの局所空調装置において，前記領域と前記発熱体の間に，前記領域を通過した空調空気を吸引する吸気口を設けても良い。
【００１３】
本発明において，発熱体とは，例えば５０℃以上もある発熱する部分を有し，周囲の空気を加熱して上昇気流を起させるものをいう。局所空調の対象となる特定の領域は，室内において発熱体から離れた位置に存在しており，例えば人が存在している執務空間，作業空間などといった，室内の一部分となる領域である。発熱体が存在する室とは，例えば電算機の如き発熱体が存在する電算機室が例示されるが，その他，種々の発熱体が存在するクリーンルーム等，種々の室についても本発明は適用される。また，空調対象領域に給気される空調空気は，冷却された空気の他，加熱された空気，フィルタろ過等により清浄にされた空気，加湿もしくは除湿された空気等であり，空調対象領域を種々の条件に空調する場合について本発明は適用される。本発明によれば，室内において電算機の如き発熱体に向って流れている室内空気の流れと平行に空調空気を給気することにより，空調空気の拡散をなるべく少なくでき，空調対象領域を効率良く空調できるようになる。
【００１４】
【発明の実施の形態】
以下，本発明の好ましい実施の形態を図面を参考にして説明する。なお，この形態では，一例として電算機室１内において空調対象領域５を冷房空調する対人用の局所空調装置３を例として説明する。
【００１５】
図１に示すように，電算機室１の内部には，発熱体としての電算機２が存在している。このため，電算機室１においては，電算機２の発熱により年間を通じて冷房負荷が要求されている。図示はしないが，この電算機室１の内部全体を冷房空調する空調設備を備えており，その図示しない空調設備の稼動により，電算機室１の内部は所定の温度に保たれている。
【００１６】
かかる電算機室１では，常時冷房空調されている室内において電算機２といった発熱体の近傍で空気が加熱されることにより，電算機２の近傍で上昇気流ａが生じる。電算機２の表面自体はさほど高温でもないが，その内部には例えば５０℃以上もある放熱板などがある。それらの温度は高速処理をするものほど高温であり，ガラリなどを通じて自然対流により電算機２周辺の空気を内部に取り込み，加熱して上昇気流を起させる。また，それに伴って，電算機室１の内部下方（居住域）では，室内空気が電算機２に向って横向（床面と平行方向）に流れるような気流ｂが発生している。
【００１７】
本発明の実施の形態にかかる局所空調装置３は，このような電算機室１の内部において，人４が滞在している執務空間，作業空間などの空調対象領域５に低温の空調空気ｃを給気し，電算機室１内の一部分である空調対象領域５を部分的に空調するものとして構成されている。電算機室１の内部には，空調対象領域５に向って空調空気ｃを給気する吹出しユニット１０と，空調対象領域５を挟んで吹出しユニット１０と反対側に位置する吸気ユニット１１が配置してある。吹出しユニット１０の前面（空調対象領域５に向っている面）には局所空調用の吹出口１２が開口しており，吸気ユニット１１の前面（空調対象領域５に向っている面）には吸気口１３が開口している。
【００１８】
ここで，空調対象領域５とこれら吹出口１２及び吸気口１３は，いずれも電算機室１の内部下方の居住域（空調対象領域５）の高さに設定されており，これら空調対象領域５，吹出口１２及び吸気口１３の高さは，ほぼ等しくなっている。また，図１に示されるように，吹出口１２及び吸気口１３は，空調対象領域５と電算機２を結ぶ水平方向の直線Ｌ上に並べて配置されている。吹出口１２は，この直線Ｌ上において，空調対象領域５を挟んで電算機２と反対側となる位置に配置されている。吸気口１３は，この直線Ｌ上において，空調対象領域５と電算機２の間となる位置に配置されている。即ち，発熱体である電算機２と，空調対象領域５と，吹出しユニット１０の吹出口１２と，吸気ユニット１１の吸気口１３は，同一の直線Ｌ上に配置されている。
【００１９】
電算機室１の天井には，室内機１５が配置されている。室内機１５と吹出しユニット１０の間に給気ダクト１６が接続され，室内機１５と吸気ユニット１１の間に還気ダクト１７が接続されている。この実施の形態では，室内機１５によって冷却された空調空気ｃが給気ダクト１６を経て吹出しユニット１０に供給され，吹出しユニット１０前面の吹出口１２から吹出された空調空気ｃが空調対象領域５に給気されるようになっている。また，こうして空調対象領域５を通過した空調空気ｃは，空調対象領域５を挟んで吹出し口１２と反対側の位置において，吸気口１３から吸気ユニット１１内に吸引され，還気ダクト１７を経て室内機１５に戻されるようになっている。
【００２０】
電算機室１の外部上方には室外機２０が設けてある。この実施の形態では，室外機２０は，電算機室１の天井面を区画している図示しないコンクリートスラブを隔てて室内機１５の直近上部に設置してある。これら室内機１５と室外機２０の間には，冷媒往管２１，冷媒還管２２及びドレン管２３が接続してある。
【００２１】
図２に示すように，室内機１５は熱交換器３０とファン３１を備えている。また，室内機１５の底面にはドレンパン３２が取付けてある。ファン３１の稼動により，還気ダクト１７から室内機１５内に吸い込んだ空気を給気ダクト１６に送風するようになっている。また，こうして室内機１５内を通過する際に，熱交換器３０に熱的に接触することにより空気が冷却されて低温の空調空気ｃが作り出される。なお，冷却によって熱交換器３０の表面に凝縮したドレン水は，落下してドレンパン３２に受取られるようになっている。
【００２２】
室外機２０は，熱交換器３５とファン３６を備えている。室外機２０の上流側（図２において，室外機２０の左側）には蒸発ユニット３７が接続してあり，室外機２０の下流側（図２において，室外機２０の右側）には排気ユニット３８が接続してある。室内機１５においてドレンパン３２に受取られたドレン水は，図示しないポンプなどの稼動によってドレン管２３を通ってドレンパン３２から蒸発ユニット３７の上部に送水されるようになっている。こうして蒸発ユニット３７の上部に送水されたドレン水は，蒸発ユニット３７の上部において噴霧されるようになっている。排気ユニット３８の内部には，送風方向を横向から上向きに変えるためのベーン３９が取付けてある。
【００２３】
室外機２０においては，ファン３６の稼動により，蒸発ユニット３７を経て室外機２０内に外気を吸い込み，排気ユニット３８に送風するようになっている。こうして蒸発ユニット３７を通過させた外気を熱交換器３５に熱的に接触させることにより，熱交換器３５内の冷媒を冷却するようになっている。そして，熱交換器３５にて冷却された冷媒は，冷媒還管２２を通って，室内機１５の熱交換器３０に送られるようになっている。また，室内機１５の熱交換器３０にて空気を冷却することにより温度上昇した冷媒が，冷媒往管２１を通って，室外機２０の熱交換器３５に送られるようになっている。図示はしないが，冷媒往管２１には，室内機１５の熱交換器３０から室外機２０の熱交換器３５に冷媒を汲み上げるためのポンプもしくは圧縮機等が設けてある。また，室外機２０においてファン３６の稼動で排気ユニット３８に送風された外気は，排気ユニット３８を通過する際にベーン３９によって送風方向を横向から上向きに変え，その後，排気ユニット３８の上面から上向きに排気されるようになっている。
【００２４】
図３に示すように，吹出しユニット１０は，前面（図３において，左側面）が開口して吹出口１２に形成された箱体からなる。吹出しユニット１０の内部には，送風方向を上向きから横向に変えるためのベーン４０が設けてある。そして，先に説明した室内機１５から給気ダクト１６を経て送風された空調空気ｃが，吹出しユニット１０の上面を介して吹出しユニット１０内に下向きに給気され，ベーン４０によって送風方向を上向きから横向に変えられた後，吹出口１２から横向に吹出されるようになっている。吹出しユニット１０の前面（吹出口１２）には，平板を縦横に格子状に組合わせた構成の整流格子４１が取り付けられている。吹出口１２から吹出される空調空気ｃは，この整流格子４１を通過する際に整流され，空調対象領域５に向かう平行流となる。
【００２５】
先に図１で説明したように，吹出しユニット１０前面の吹出口１２が空調対象領域５に指向し，吹出口１２及び吸気口１３が空調対象領域５と電算機２を結ぶ直線Ｌ上に並べて配置されていることにより，吹出口１２から水平方向に吹出された空調空気ｃは，直線Ｌに沿って流れて空調対象領域５に給気され，更に空調対象領域５を通過して，吸気ユニット１１前面の吸気口１３から吸気ユニット１１内に吸引される。
【００２６】
さて，以上のような電算機室１の内部では，先に図１で説明したように，発熱体としての電算機２が存在しているため，電算機２の近傍で上昇気流ａが生じ，それに伴って，電算機室１の内部下方（居住域）では，室内空気が電算機２に向って横向に流れる気流ｂが発生している。
【００２７】
そして，局所空調装置３にあっては，室内機１５において熱交換器３で冷却された空調空気ｃが，ファン３１の稼動によって給気ダクト１６を経て吹出しユニット１０に送風される。こうして吹出しユニット１０に送風された空調空気ｃは，吹出しユニット１０前面の吹出口１２から空調対象領域５に向かって水平方向に吹出される。こうして，吹出口１２から吹出された空調空気ｃは，空調対象領域５と電算機２を結ぶ直線Ｌに沿って流れて空調対象領域５に到達することとなる。
【００２８】
この場合，吹出口１２から空調対象領域５に給気される空調空気ｃの周囲の状況は次のようになっている。即ち，前述のように電算機室１の内部下方（居住域）において横向の気流ｂが発生しているが，この気流ｂは，電算機２に向って横向に流れる速度成分を有している。そして，この気流ｂは，吹出口１２と吸気口１３を結ぶ流路の近傍（即ち，空調対象領域５と電算機２を結ぶ水平方向の直線Ｌの近傍）においては，ほぼ直線Ｌに沿った速度成分を有することとなる。このため，吹出口１２から吹出されて空調対象領域５に向って給気される空調空気ｃの周囲には，この空調空気ｃの流れと同じ方向に流れる気流ｂが存在し，空調空気ｃを気流ｂで包み込みながら，空調空気ｃと気流ｂが一緒に流れて行く状態が形成される。
【００２９】
ここで，図４に示すように，仮に気流ｂが発生していない室内において吹出口１２から空調対象領域５に向って空調空気ｃを給気した場合は，室内の雰囲気は静止しているので，空調空気ｃの周囲において相対速度の差によって室内雰囲気を誘引混合して空調対象領域５に到達することになる。このため，空調対象である空調対象領域５に到達した時点では，空調空気ｃが拡散して温度が高くなったりし，冷房効果が低下してしまう。また，このような冷房効果の低下を防ぐためには，余分に冷房能力を大きくしなければならず，エネルギーが無駄に使われてしまう。
【００３０】
また，図５に示すように，気流ｂが発生している室内であっても，仮に気流ｂの速度成分と一致しない方向に向って吹出口１２から空調空気ｃを吹出し，空調対象領域５に空調空気ｃを給気しようとすると，気流ｂと空調空気ｃの流れが衝突することになるので，空調空気ｃの流れが気流ｂによって乱されてしまい，空調空気ｃが空調対象領域５に到達しなくなる恐れが生じてしまう。また，気流ｂと空調空気ｃの流れが衝突することにより両者が交じり合い，冷房効果も低下してしまう。
【００３１】
これに対して，図６に示されるように，この実施の形態の場合にあっては，吹出口１２から吹出された空調空気ｃの周囲を空調空気ｃの流れとほぼ同じ方向成分を有する気流ｂで包み込みながら，空調空気ｃと気流ｂが空調対象領域５に向って一緒に流れて行くこととなるので，空調空気ｃが室内雰囲気を誘引混合する割合を低減できる。また，空調空気ｃの流れも乱されにくいので，空調対象領域５に空調空気ｃを効率良く到達させることができる。このため，空調空気ｃの給気距離も長くすることができ，また，空調空気ｃを混合・拡散なく空調対象領域５に供給できるので，温度維持もしやすい。
【００３２】
一方，このように空調対象領域５に到達した空調空気ｃは，空調対象領域５を通過した後も気流ｂで包み込まれた状態で直線Ｌに沿って流れて行く。そして，吸気ユニット１１まで到達すると，空調空気ｃは，室内機１５に設けられているファン３１の稼動によって吸気口１３から吸気ユニット１１内に吸引される。そして，還気ダクト１７を経て室内機１５に戻され，熱交換器３で冷却されて，所望の温度にされた空調空気ｃが再び空調対象領域５に循環供給される。この場合，吸気ユニット１１においても，なるべく混合・拡散の少ない状態で空調空気ｃを回収できるので，過度の温度上昇をしない状態で室内機１５に戻されることとなり，熱交換器３０，３５の冷却負荷を更に低減でき，省エネ化がはかれるようになる。なお，図示の例では，空調対象領域５と電算機２の間に吸気ユニット１１が介在しているため，発熱体である電算機２の輻射熱や貫通熱が空調対象領域５へ伝わることを吸気ユニット１１で遮ることができるといった効果もあり，空調対象領域５に滞在している人４が暑熱が緩和される。
【００３３】
なお，この実施の形態の局所空調装置３においては，室内機１５において熱交換器３０の表面に凝縮したドレン水は，ドレンパン３２に受取られ，ドレン管２３を通って蒸発ユニット３７の上部に送水される。こうして蒸発ユニット３７の上部に送水されたドレン水は，蒸発ユニット３７の上部において噴霧され，室外機２０に吸込まれる外気によって蒸発させられる。これにより，室外機２０に吸込まれる外気の乾球温度を低下させることができる。このように，室内機１５で生じたドレン水を室外機２０の吸込み側（上流側）で蒸発させることにより，室外機１５の吸込温度を低下させ，成績係数向上による省エネ性向上が期待できるが，室外機１５の出口側（排気）でドレン水を蒸発させた場合は，高温低湿度の排気によって，ドレン水を確実に蒸発でき，ドレン水処理の信頼性が向上するといったメリットがある。いずれにしても，室内機１５で生じたドレン水を室外機２０にて蒸発処理することにより，ドレン水を外部排出することを省略でき，ドレン配管なども不要となる。なお，ドレン水を蒸発させる方法としては，この実施の形態で示したような蒸発ユニット３７での噴霧処理の他，滴下式加湿器を用いる方法や，超音波発生器による水の微粒子化による方法も可能である。但し，ドレン水自身はミネラル成分がなくスケール生成がない反面，空気中のホコリを多く含むため，フィルタでろ過することが望ましい。
【００３４】
また，この実施の形態では，室外機２０が室内機１５の直近上部に設置されているので，両者の間に設けられる冷媒往管２１，冷媒還管２２及びドレン管２３などを短くでき，工事費を低減できる。また，局所空調装置１の移動や設置も容易となるといった利点がある。
【００３５】
次に，本発明の他の実施の形態にかかる局所空調装置５０を説明する。図７に示す局所空調装置５０は，空調された空気を吹出す複数の局所空調用吹出口から吹出された空調空気を合成して空調対象領域５１に送風し，空調対象領域５１を空調するものとして構成されている。
【００３６】
この局所空調装置５０が設けられる室も，先に図１等で説明した場合と同様に，発熱体としての電算機５２が存在する電算機室５３である。電算機５２の発熱による冷房負荷を処理するために，電算機室５３の内部全体は，図示しない空調設備の稼動により，冷房空調されている。そして，電算機室５３の内部では，電算機５２の近傍で上昇気流ａが生じ，電算機室１の内部下方（居住域）で，室内空気が電算機２に向って横向（床面と平行方向）に流れるような気流ｂが発生している。
【００３７】
この実施の形態では，電算機室５３の内部には，空調空気を吹出す二つの吹出しユニット５５，５６が設置してある。また，電算機２と空調対象領域５の間には，一つの吸気ユニット５７が配置してある。吹出しユニット５５，５６の前面には局所空調用の吹出口６０，６１がそれぞれ開口しており，吸気ユニット５７の前面には吸気口６２が開口している。
【００３８】
空調対象領域５１とこれら吹出口６０，６１及び吸気口６２は，いずれも電算機室５３の内部下方の居住域（空調対象領域５１）の高さに設定されており，これら空調対象領域５１，吹出口６０，６１及び吸気口６２の高さはほぼ等しい。また，先と同様に，吹出口６０，６１には整流格子がそれぞれ取り付けられてあり，後述のように吹出しユニット５５，５６からからそれぞれ吹出される室内空気ｄ１，ｄ２は，吹出口６０，６１を通過する際に整流格子で整流され，いずれも水平方向の平行流とされるようになっている。
【００３９】
吸気口６２は，電算機５２と空調対象領域５１の間において，空調対象領域５１と電算機５２を結ぶ水平方向の直線Ｌ上に配置されている。一方，空調対象領域５１を挟んでこの吸気口６２と同軸線上で反対側となる位置には，パーテションなどといった障害物６５が空調対象領域５１と電算機５２を結ぶ直線Ｌ上に存在している。このため，空調対象領域５１に給気するための空調空気を吹出す吹出口を直線Ｌ上に配置することができない。
【００４０】
このため，この実施の形態に示す局所空調装置５０では，空調空気を吹出す二つの吹出口６０，６１を，空調対象領域５１と電算機５２を結ぶ直線Ｌ上からいずれも外れた位置に配置し，それら複数（図示では二つ）の吹出口６０，６１から吹出された空調空気を，空調対象領域５１とほぼ同じ高さであって，空調対象領域５１を挟んで電算機５２と反対となる位置Ｏ（即ち，直線Ｌ上であって，空調対象領域５１を挟んで電算機５２と反対となる位置Ｏ）で合成し，その合成された空調空気を空調対象領域５１に給気するようにしている。
【００４１】
図８に示すように，空調対象領域５１と電算機５２を結ぶ直線Ｌに対して，吹出しユニット５５の吹出口６０から吹出される室内空気ｄ１の速度成分がなす傾き角度αと，吹出しユニット５６の吹出口６１から吹出される室内空気ｄ２の速度成分がなす傾き角度βとすれば，次式（１）の関係が成立っている。
【００４２】
Ｑ１・Ｖ１・ｓｉｎα  ＝  Ｑ２・Ｖ２・ｓｉｎβ  （１）
ここで，Ｑ１は，吹出しユニット５５の吹出口６０から吹出される室内空気ｄ１の流量であり，Ｖ１は，室内空気ｄ１の速度である。また，Ｑ２は，吹出しユニット５６の吹出口６１から吹出される室内空気ｄ２の流量であり，Ｖ２は，室内空気ｄ２の速度である。
【００４３】
この式（１）が成立つように各吹出しユニット５５，５６をレイアウト配置することにより，吹出口６０から吹出された室内空気ｄ１と吹出口６１から吹出された室内空気ｄ２が，前述の位置Ｏで合成されて，合成された空調空気ｄが，直線Ｌに沿った流れとなって空調対象領域５１に給気されるようになる。
【００４４】
なお，この実施の形態においても，先に図１等で説明した場合と同様に，電算機室５３の天井に室内機６５が配置されており，室内機６５と吸気ユニット５７の間に還気ダクト６６が接続されている。一方，室内機６５と各吹出しユニット５５，５６の間には分岐給気ダクト６７，６８がそれぞれ接続されている。そして，吸気口６２から吸気ユニット５７内に吸引された空気が，還気ダクト１７を経て室内機６５に送風され，室内機６５によって冷却された空調空気ｄが分岐給気ダクト６７，６８を経て各吹出しユニット５５，５６にそれぞれ供給されて，各吹出しユニット５５，５６前面の吹出口６０，６１から空調空気ｄ１，ｄ２がそれぞれ吹出すようになっている。
【００４５】
さて，以上のような電算機室５３の内部においても同様に，電算機５２の近傍で上昇気流ａが生じ，それに伴って，電算機室５３の内部下方（居住域）では，室内空気が電算機５２に向って横向に流れる気流ｂが発生している。そして，局所空調装置５０においては，室内機６５によって冷却された空調空気ｄが分岐給気ダクト６７，６８を経て各吹出しユニット５５，５６にそれぞれ供給され，各吹出しユニット５５，５６前面の吹出口６０，６１から空調空気ｄ１，ｄ２がそれぞれ吹出す。そして，これら室内空気ｄ１と室内空気ｄ２が前述の位置Ｏで合成され，その合成された空調空気ｄが，空調対象領域５１と電算機５２を結ぶ直線Ｌに沿って流れて空調対象領域５１に到達することとなる。
【００４６】
これにより，先に図１等で説明した実施の形態と同様に，合成された空調空気ｄの周囲を，ほぼ同じ方向成分を有する気流ｂで包み込んだ状態を作り出すことができ，空調対象領域５１に空調空気ｄを効率良く到達させることができるようになる。また，こうして空調対象領域５１を通過した空調空気ｄは，吸気口６２から吸気ユニット５７内に吸引され，還気ダクト１７を経て室内機６５に戻される。
【００４７】
この実施の形態の局所空調装置５０によれば，先に図１等で説明した実施の形態の局所空調装置３と同様の効果を奏することに加え，パーテションなどの障害物６５が空調対象領域５１と電算機５２を結ぶ直線Ｌ上に存在して，空調対象領域５１に空調空気を給気する吹出口を直線Ｌ上に配置することができないような場合でも，ほぼ平行な方向成分を有する気流ｂで空調空気ｄの周囲を包み込んだ状態を作り出すことができ，空調対象領域５１を効率良く空調することができるようになる。
【００４８】
以上，本発明の好適な実施の形態を例示して説明したが，本発明はここに示した形態に限定されない。本発明において局所に向けて吹出される空調空気は，発熱体の影響で室内に発生する気流（空調空気の周囲を包み込んで流れる気流）となるべく同じ速さであることが最も望ましいが，そのためには，例えば図１に示した給気ダクト１６に風量調整ダンパを設け，その開度を調整することによって，吹出口１２から吹出される空調空気ｃの風速を調整することが有効である。また，室内機１５に設けられているファン３６の送風量をインバータ制御する方法でも良い。
【００４９】
なお，本発明にあっては，必ずしも空調対象領域を挟んで空調空気の吹出し位置と反対側の位置で空調空気の吸引をする必要は無い。例えば図１，７において，給気ユニット１１，５７を直線Ｌ上に配置せず，例えば，室の天井などに吸気口を配置して，空調空気ｃ，ｄの流れと関係の無い位置で室内空気や外気を取り込み，その空気を冷却等して局所に給気するようにしても良い。
【００５０】
本発明において，室内に存在する発熱体は，例えば加熱炉や発熱を伴う各種生産装置などであっても良く，電算機２に限られない。また，本発明によって局所空調を行う室は，電算機室３に限られない。種々の発熱体が存在するクリーンルーム等，種々の室についても本発明は適用される。
【００５１】
また，図７，８では２台の吹出しユニット５５，５６を設けた例を説明したが，吹出しユニットの設置台数は２台に限られない。吹出しユニットを３台以上設置し，３つ以上の吹き出し口から吹出した局所空調用の空調空気を合成させて，空調対象領域に送風しても良い。また，図７，８で説明した吹出しユニット５５から吹出される室内空気ｄ１の流量Ｑ１及び速度Ｖ１と，吹出しユニット５６から吹出される室内空気ｄ２の流量Ｑ２及び速度Ｖ２を互いに等しい場合，吹出しユニット５５，５６を，空調対象領域５１と電算機５２を結ぶ直線Ｌを挟んで対称の位置に配置し，かつ，それら吹出しユニット５５，５６から吹出される室内空気ｄ１と室内空気ｄ２を，空調対象領域５１を挟んで電算機５２と反対となる直線Ｌ上の位置Ｏで合成させることにより，各吹出しユニット５５，５６と位置Ｏを頂点とする二等辺三角形（吹出しユニット５５と位置Ｏを結ぶ辺の長さと吹出しユニット５６と位置Ｏを結ぶ辺の長さが等しい二等辺三角形）を構成するように，各吹出しユニット５５，５６を配置すると良い。同様の配置を採用することにより，４台の吹出しユニット，６台の吹出しユニットといったように，偶数台の吹出しユニットをそれぞれ対をなすように配置して，各吹き出し口から吹出した局所空調用の空調空気を合成させ，空調対象領域に送風するように構成しても良い。なお，対をなす吹出しユニットを直線Ｌを挟んで対称の位置に配置できない場合は，先に図８や式（１）で説明したように，各吹出しユニットの吹出口から吹出される室内空気の流量，速度を調整すればよい。
【００５２】
更に，図１等で説明した実施の形態と図７等で説明した実施の形態のいずれにおいても空調の一例として空調対象領域を冷房空調する場合を想定して説明したが，本発明は，空調対象領域を局所的に冷暖房する場合の他，クリーンブースのような空調対象領域に清浄な空気を給気する場合や，空調対象領域を所定の湿度に保つ場合等，空調対象領域を種々の条件に局所空調する場合に適用できる。そのような場合についても，離れた場所・エリア（空調対象領域）に対して，清浄な空気や所定の湿度にした空気を拡散なく到達させることにより，空調効率を向上させ，省エネ化を達成することができる。なお，クリーンブースのような空調対象領域に清浄な空気を給気する場合であれば，前述の実施の形態における室内機に設けた熱交換器の代りに塵埃除去フィルタを用いれば良く，空調対象領域を所定の湿度に保つ場合であれば，同様に，熱交換器の代りに加湿器あるいは除湿器を用いれば良い。その場合，例えば除湿機には乾式除湿機，湿式除湿機，圧力スイング除湿機など種々のものが利用できる。
【００５３】
【発明の効果】
本発明によれば，発熱体が存在する室内において，空調空気をなるべく拡散させずに空調対象領域を効率良く局所空調できるようになる。
【図面の簡単な説明】
【図１】本発明の実施の形態にかかる局所空調装置を電算機室に設置した状態を示す斜視図である。
【図２】室内機と室外機の説明図である。
【図３】吹出しユニットの縦断面図である。
【図４】気流が発生していない室内で空調対象領域に向って空調空気を給気した場合に，空調空気が拡散してしまう状態の説明図である。
【図５】室内に発生している気流と一致しない方向に向って空調空気を吹出した場合に，空調空気の流れが乱されてしまう状態の説明図である。
【図６】周りを気流で包み込みながら空調空気を空調対象領域に供給する状態の説明図である。
【図７】複数の吹出口から吹出した空調空気を合成して空調対象領域に送風するように構成した，本発明の他の実施の形態にかかる局所空調装置を示す斜視図である。
【図８】図７に示す本発明の実施の形態にかかる局所空調装置における，各吹出口から吹出される室内空気の関係の説明図である。
【符号の説明】
ａ    上昇気流
ｂ    気流
ｃ    空調空気
１    電算機室
２    電算機
３    局所空調装置
４    人
５    空調対象領域
１０  吹出しユニット
１１  吸気ユニット
１２  吹出口
１３  吸気口
１５  室内機
１６  給気ダクト
１７  還気ダクト
２０  室外機
Ｌ    空調対象領域と電算機を結ぶ水平方向の直線
【図１】
2004278928.tif 000003
【図２】
2004278928.tif 000004
【図３】
2004278928.tif 000005
【図４】
2004278928.tif 000006
【図５】
2004278928.tif 000007
【図６】
2004278928.tif 000008
【図７】
2004278928.tif 000009
【図８】
2004278928.tif 000010